(57)【要約】【課題】エレベータの昇降路内の乗り籠から容易かつ安全に耐震補強を施すことが可能な釣り合い錘を有するエレベータを提供する。【解決手段】乗り籠にロープを介して連結された釣り合い錘１を備え、釣り合い錘１をガイドレール９で案内することにより、この釣り合い錘１が乗り籠と相対して昇降するエレベータにおいて、釣り合い錘１が、互いの開口部を対向するように並設された断面コ字型形状を有する一対の縦柱２と、これら両縦柱２の上下両端部を連結する上枠３および下枠４と、開口部に積層状態で挿入されて両縦柱２の前後方向へ突出する複数の錘片６と、これら各錘片６の上下方向の中間位置で両縦柱２の前面に取り付けられる連結体７とを備えており、連結体７の長手方向の両側端にそれぞれ一対のＬ字型形状の取り付け片７ｂを設け、これら各取り付け片７ｂを両縦柱２の前面にそれぞれボルト８で締結する。【選択図】図１
2010047410.tif 000002
【特許請求の範囲】
【請求項１】
乗り籠にロープを介して連結された釣り合い錘を備え、前記釣り合い錘をガイドレールで案内することにより、この釣り合い錘が前記乗り籠と相対して昇降するエレベータにおいて、
前記釣り合い錘が、互いの開口部を対向するように並設された断面コ字型形状を有する一対の縦柱と、これら両縦柱の上下両端部を連結する上枠および下枠と、前記開口部に積層状態で挿入されて前記両縦柱の前後方向へ突出する複数の錘片と、これら各錘片の上下方向の中間位置で前記両縦柱の前面に取り付けられる連結体とを備えており、
前記連結体の長手方向の両側端にそれぞれ一対のＬ字型形状の取り付け片を設け、これら各取り付け片を前記両縦柱の前面にそれぞれボルトで締結することを特徴とするエレベータ。
【請求項２】
請求項１の記載において、第１の片と第２の片とで構成されるＬ字型形状の支持片を備え、前記第１の片を前記連結体の裏面に対向する前記縦柱の前面にボルトで締結すると共に、前記第２の片を前記縦柱の側面と前記ガイドレールとの間に配置したことを特徴とするエレベータ。
【請求項３】
請求項２の記載において、前記連結体の両側端に前記第１の片を締結する前記ボルトに通じる貫通孔を設けたことを特徴とするエレベータ。
【発明の詳細な説明】
【技術分野】
【０００１】
本発明は、乗り籠と相対的に昇降する釣り合い錘を備えたエレベータに係り、特に釣り合い錘に耐震補強を施したエレベータに関するものである。
【背景技術】
【０００２】
一般にエレベータは、昇降路内に乗り籠と釣り合い錘を備え、昇降路上方に配置されている巻上機のシーブに巻かれた主ロープの両端にそれぞれ乗り籠と釣り合い錘を吊り下げ、このシーブの回転で釣り合い錘を昇降路内に備えられているガイドレールに案内することにより、乗り籠と釣り合い錘が相対して昇降する構成をしている。釣り合い錘は、互いの開口部を対向するように並設された前面、側面、及び後面を持つ断面コ字型形状を有する一対の縦柱と、これら両縦柱の上下両端部を連結する上枠および下枠と、両縦柱の開口部に積層状態で挿入されて両縦柱の前後方向へ突出する複数の錘片とで構成されている。
【０００３】
このような釣り合い錘を備えたエレベータが、地震の振動を受けると、釣り合い錘がその揺れの影響を受けて振動し、その振動によって釣り合い錘がガイドレールから外れる虞がある。また、釣り合い錘の振動で各錘片が慣性力を受けることにより、上述した一対の縦柱に強い力を及ぼすので、これらの両縦柱にたわみが生じる。その結果、釣り合い錘の各錘片が両縦柱から脱落する虞もある。
【０００４】
そこで、このような地震の振動による影響を緩和するために、釣り合い錘に耐震補強を施したエレベータの従来例として、釣り合い錘に備えられる一対の縦柱の中央位置にそれぞれ中間ストッパを設けることにより、釣り合い錘がガイドレールから外れることを防止し、さらに一対のウェイト防止装置を中間ストッパに連結することにより、釣り合い錘の各錘片が両縦柱から脱落することを防止するようにしたエレベータが提案されている（例えば、特許文献１参照）。
【０００５】
図７はこのような従来のエレベータの釣り合い錘の構成を示す側面図、図８は該釣り合い錘の横断面図である。図７、図８に示すように、従来のエレベータに備えられる釣り合い錘２０は、互いの開口部を対向するように並設された断面コ字型形状を有する一対の縦柱２１と、これら両縦柱２１の上下両端部を連結する上枠２２および下枠２３と、両縦柱２１の上下両端部にそれぞれ設けられるガイドシュー２４と、両縦柱２１の開口部に積層状態で挿入されて両縦柱２１の前後方向へ突出する突出部を有する複数の錘片２５と、上枠２２と下枠２３間の中間位置で両縦柱２１に設けられた中間ストッパ２６と、中間ストッパ２６に連結される一対の断面コ字型形状を有する脱ウェイト防止装置２７とで構成される。これら一対の脱ウェイト防止装置２７は、互いの開口部を対向するように並設され、これらの開口部に錘片２５の突出部と両縦柱２１の前面を包含した状態で中間ストッパ２６に固着されている。このように構成された釣り合い錘２０は、ガイドシュー２４でガイドレール２８に案内されることにより、昇降路内を上下方向に昇降する。
【０００６】
上述した従来のエレベータに備えられる釣り合い錘２０は、一対の縦柱２１の中央位置にそれぞれ中間ストッパ２６を設けることにより、釣り合い錘２０が地震の揺れを受けて振動しても中間ストッパ２６でガイドレール２８を保持することができるので、釣り合い錘２０がガイドレール２８から外れることを防止することができる。また、一対の脱ウェイト防止装置２７を両縦柱２１の前後両方向から中間ストッパ２６に連結することにより、釣り合い錘２０の振動で各錘片２５が慣性力を受けて両縦柱２１に強い力を及ぼしても、両縦柱２１を補強してたわみが生じることを防止することができるので、両縦柱２１から各錘片２５が脱落することを防止することができる。
【特許文献１】特開平１０−８１４６８号公報
【発明の開示】
【発明が解決しようとする課題】
【０００７】
特許文献１に開示された従来のエレベータは、上述したように一対の縦柱２１の中央位置にそれぞれ中間ストッパ２６を取り付け、釣り合い錘２０の中央の周りを囲むように一対の脱ウェイト防止装置２７を両縦柱２１の前後両方向から中間ストッパ２６に取り付けることにより、両縦柱２１を補強している。そのため、昇降路内に既設のエレベータに対して、両縦柱２１に中間ストッパ２６を取り付ける場合、昇降路内に足場の組立を設けたり、あるいはガイドシュー２４を両縦柱２１から外す必要がある。また、中間ストッパ２６に一対の脱ウェイト防止装置２７を取り付ける場合、特に両縦柱２１の後方から脱ウェイト防止装置２７を取り付ける場合において、釣り合い錘２０をガイドレール２８から外す必要がある。したがって、昇降路内の乗り籠からの取り付け作業が煩雑であり、危険を伴う。
【０００８】
本発明は、このような従来技術の実情に鑑みてなされたもので、その目的は、エレベータの昇降路内の乗り籠から容易かつ安全に耐震補強を施すことが可能な釣り合い錘を有するエレベータを提供することにある。
【課題を解決するための手段】
【０００９】
上記の目的を達成するために、本発明のエレベータは、乗り籠にロープを介して連結された釣り合い錘を備え、前記釣り合い錘をガイドレールで案内することにより、この釣り合い錘が前記乗り籠と相対して昇降するエレベータにおいて、前記釣り合い錘が、互いの開口部を対向するように並設された断面コ字型形状を有する一対の縦柱と、これら両縦柱の上下両端部を連結する上枠および下枠と、前記開口部に積層状態で挿入されて前記両縦柱の前後方向へ突出する複数の錘片と、これら各錘片の上下方向の中間位置で前記両縦柱の前面に取り付けられる連結体とを備えており、前記連結体の長手方向の両側端にそれぞれ一対のＬ字型形状の取り付け片を設け、これら各取り付け片を前記両縦柱の前面にそれぞれボルトで締結することを特徴としている。
【００１０】
このように構成されたエレベータは、各錘片の上下方向の中間位置で両縦柱の前面に連結体の取り付け片をボルトで締結するだけで、両縦柱を補強することができるので、昇降路内に足場の組立を設けたり、あるいは釣り合い錘をガイドレールから外す必要がなく、昇降路内の乗り籠から両縦柱の前面に連結体を容易に取り付けることができる。
【００１１】
また、本発明に係るエレベータは、第１の片と第２の片とで構成されるＬ字型形状の支持片を備え、第１の片を連結体の裏面に対向する縦柱の前面にボルトで締結すると共に、第２の片を縦柱の側面とガイドレールとの間に配置したことを特徴としている。このように構成すると、ガイドレールと縦柱との間隔を支持片の第２の片で調整することができるので、地震による釣り合い錘の振動の大きさを抑えることができ、釣り合い錘がガイドレールから外れることを防ぐことができる。また、連結体と同様に支持片を昇降路内の乗り籠から縦柱の前面に取り付けることができるので、取り付け時に釣り合い錘をガイドレールから外す必要がなく、支持片の取り付け作業が簡便である。
【００１２】
また、本発明に係るエレベータは、連結体の両側端に第１の片を締結するボルトに通じる貫通孔を設けたことを特徴としている。このように構成すると、連結体を各錘片の上下方向の中間位置で両縦柱の前面に取り付けた後においても、連結体に設けた貫通孔を通じて支持片を取り付けまたは取り外すことができる。
【発明の効果】
【００１３】
本発明のエレベータは、連結体の各取り付け片を両縦柱の前面にそれぞれボルトで締結することにより、地震で各錘片から両縦柱が強い力を受けても、両縦柱を補強してたわみが生じることを防止し、両縦柱から各錘片が脱落することを防止することができる。これにより、昇降路内に足場の組立を設けたり、あるいは釣り合い錘をガイドレールから外す必要がなく、昇降路内の乗り籠上で連結体の取り付け作業を簡略かつ安全に行うことができる。
【発明を実施するための最良の形態】
【００１４】
発明の実施の形態について図面を参照して説明すると、図１は本発明の第１実施形態に係るエレベータの釣り合い錘の構成を示す側面図であり、図２は図１のＡ−Ａ線に沿う断面図である。
【００１５】
図１、図２に示すように、本発明の第１実施形態に係るエレベータは、昇降路内に図示しない乗り籠と、この乗り籠に図示しない主ロープで連結された釣り合い錘１とを備えており、この釣り合い錘１は、互いの開口部を対向するように並設された断面コ字型形状の一対の縦柱２と、これら両縦柱２の上下両端部を連結する上枠３および下枠４と、両縦柱２の上下両端部にそれぞれ設けられたガイドシュー５と、開口部に積層状態で挿入されて両縦柱２の前後方向へ突出する複数の錘片６と、両縦柱２の前面に取り付けられる連結体７とを備えている。ここで、連結体７は、長方形の金属平板からなる連結板７ａと、この連結板７ａの長手方向の両側端の上下にそれぞれＬ字型形状に折り曲げ形成された４つの取り付け片７ｂとで構成されており、これら各取り付け片７ｂを各錘片６の上下方向の中間位置で両縦柱２の前面にそれぞれボルト８で締結している。このように構成された釣り合い錘１がガイドシュー５を介してガイドレール９に案内されることにより、この釣り合い錘１が乗り籠と相対して昇降する。
【００１６】
このように、連結体７は連結板７ａの両側端に取り付け片７ｂを備えており、これら各取り付け片７ｂを各錘片６の上下方向の中間位置で両縦柱２の前面にそれぞれボルト８で締結しているので、地震の揺れによる釣り合い錘１の振動で各錘片６が慣性力を受けて両縦柱２に強い力を及ぼしても、両縦柱２の前面に取り付けられた連結体７だけで両縦柱２を補強することができ、これらの両縦柱２にたわみが生じることを防ぐことができる。これにより、昇降路内に足場の組立を設けたり、あるいは釣り合い錘１をガイドレール９から外す必要がなく、昇降路内の乗り籠から連結体７を容易かつ安全に取り付けることができる。
【００１７】
なお、本発明の第１実施形態に係るエレベータでは、各取り付け片７ｂを連結板７ａに折り曲げ形成して連結体７を構成した場合について説明したが、個別に形成した取り付け片７ｂを連結板７ａにそれぞれ溶接等で後付けしてもよい。また、連結板７ａの短手方向と同じ長さを有する固定板の両端部に一対の取り付け片７ｂを折り曲げ形成し、この固定板を連結板７ａの長手方向の両側端の裏面にそれぞれ溶接等で固定して一体型としてもよい。
【００１８】
図３は本発明の第２実施形態に係るエレベータの釣り合い錘の構成図、図４は該釣り合い錘の横断面図、図５は図３のＢ−Ｂ線に沿う断面図、図６は図３のＣ−Ｃ線に沿う断面図であり、図１、図２と対応する部分には同一符号を付すことにより、重複する説明は省略する。
【００１９】
図３、図４に示すように、本発明の第２実施形態に係るエレベータが上記第１実施形態に係るエレベータと異なるのは、縦柱２の前面にＬ字型形状の支持片１０をワッシャー１１を介して取り付け、連結体７の長手方向の両側端に貫通孔１２を設けたことにあり、その他の構成は基本的に同じである。なお、連結体７は、連結板７ａの短手方向と同じ長さを有する固定板の両端部に一対の取り付け片７ｂを折り曲げ形成し、この固定板を連結板７ａの長手方向の両側端の裏面にそれぞれ溶接等で固定して一体型としている。図５、図６に示すように、支持片１０を構成している片をそれぞれ第１の片１３、第２の片１４と呼ぶと、第１の片１３は縦柱２の前面にボルト１５で締結され、第２の片１４は縦柱２の側面とガイドレール９との間に配置される。また、第２の片１４に積層状の複数枚のプレート１６を皿螺子１７とナット１８で締結している。さらに、連結板７ａの長手方向の両側端および固定板に設けられた貫通孔１２は第１の片１３を締結するボルト１５に通じている。
【００２０】
上述したように、支持片１０の第２の片１４を縦柱２の側面とガイドレール９との間に配置することにより、釣り合い錘１とガイドレール９との間隔が狭まり、地震の振動による釣り合い錘１の振動の大きさを抑えることができ、釣り合い錘１の振動を抑え、ガイドシュー５がガイドレール９から外れることを防ぐことができる。また、プレート１６の枚数を調節することによって、釣り合い錘１とガイドレール９との間隔を調節することができ、支持片１０を種々のエレベータの釣り合い錘１に適用することができる。さらに、支持片１０はその第１の片１３が縦柱２の前面にボルト１５で締結されていることにより、連結体７と同様に支持片１０の取り付け作業時に釣り合い錘１をガイドレール９から外す必要はなく、乗り籠上で容易に取り付けることができ、取り付け作業時間を短縮できる。また、連結板７ａの長手方向の両側端および固定板に設けられた貫通孔１２から支持片１０をボルト１５で締結することができるため、支持片１０をより一層取り付けやすくなり、しかも連結体７が両縦柱２の前面に取り付けられた後においても支持片１０を取り付けまたは取り外すことができる。
【００２１】
なお、上記の第２実施形態に係るエレベータでは、第２の片１４に積層状の複数枚のプレート１６を皿螺子１７とナット１８で締結した場合について説明したが、皿螺子１７とナット１８で締結する代わりにプレート１６を第２の片１４に溶接等で固着してもよい。また、種々の厚さを持つ支持片１０を予め用意しておき、縦柱２とガイドレール９との間隔に応じて適切な厚さの支持片１０を縦柱２に設けてもよく、このようにするとプレート１６を省略することができる。さらに、上記の第２実施形態に係るエレベータでは、連結体７を両縦柱２の前面に取り付けた後に貫通孔１２から支持片１０をボルト１５で締結した場合について説明したが、連結体７を両縦柱２の前面に取り付ける前に支持片１０を縦柱２に取り付けることも可能であり、この場合は連結体７に貫通孔１２を必ずしも設けなくてもよい。
【図面の簡単な説明】
【００２２】
【図１】本発明の第１実施形態に係るエレベータの釣り合い錘の構成を示す側面図である。
【図２】図１のＡ−Ａ線に沿う断面図である。
【図３】本発明の第２実施形態に係るエレベータの釣り合い錘の構成図である。
【図４】該釣り合い錘の横断面図である。
【図５】図３のＢ−Ｂ線に沿う断面図である。
【図６】図３のＣ−Ｃ線に沿う断面図ある。
【図７】従来のエレベータの釣り合い錘の構成を示す側面図である。
【図８】該釣り合い錘の横断面図である。
【符号の説明】
【００２３】
１  釣り合い錘
２  縦柱
３  上枠
４  下枠
５  ガイドシュー
６  錘片
７  連結体
７ａ  連結板
７ｂ  取り付け片
８  ボルト
９  ガイドレール
１０  支持片
１１  ワッシャー
１２  貫通孔
１３  第１の片
１４  第２の片
１５  ボルト
１６  プレート
１７  皿螺子
１８  ナット
【図１】
2010047410.tif 000003
【図２】
2010047410.tif 000004
【図３】
2010047410.tif 000005
【図４】
2010047410.tif 000006
【図５】
2010047410.tif 000007
【図６】
2010047410.tif 000008
【図７】
2010047410.tif 000009
【図８】
2010047410.tif 000010